(57)【要約】      （修正有）【課題】吊り下げパーツ本体が壁に対して強固に固定されると共に、額縁やパネル等の展示物に固定された紐を吊り下げパーツ本体に引っ掛けて容易に展示物の位置決めができる展示物吊り下げパーツを提供する。【解決手段】壁面に固定される吊り下げパーツ本体に３個の挿通孔が形成されており、挿通孔に挿通して壁に打ち込まれるビスの先端が壁に対して下降状に傾斜して打ち込まれる。【選択図】図１
0003177045.tif 000002
【実用新案登録請求の範囲】
【請求項１】
３個の挿通孔と把手部を有するプラスチック製の吊り下げパーツ本体からなり、該３個の挿通孔が吊り下げパーツ平面当接部に対して傾斜して形成されており、該挿通孔に挿通して壁に打ち込まれるビスの先端が壁に対して下降状に傾斜して打ち込まれるように構成したことを特徴とする展示物吊り下げパーツ。
【請求項２】
展示物用の紐が、壁と吊り下げパーツ平面当接部の間への食い込むことを防止するために、吊り下げパーツ平面当接部の頂部に一体的に突起が形成されていることを特徴とする請求項１記載の展示物吊り下げパーツ。
【請求項３】
該挿通孔に挿通して壁に打ち込まれるビスの先端が壁に対して下降状に傾斜して打ち込まれる時に作業性の向上のために、吊り下げパーツ本体に把手部が一体的に形成されていることを特徴とする請求項１記載の展示物吊り下げパーツ。
【請求項４】
展示物吊り下げ用の紐が当接される吊り下げパーツ本体の上面が曲面に形成されていることを特徴とする請求項１記載の展示物吊り下げパーツ。
【請求項５】
展示物吊り下げパーツが不要になった時に、ドライバー等の工具の先端を当接して容易に取り外すことができるように吊り下げパーツ本体中央に溝が形成されていることを特徴とする請求項１記載の展示物吊り下げパーツ。
【考案の詳細な説明】
【技術分野】
【０００１】  本考案は展示物吊り下げパーツに関し、特に壁面に固定される吊り下げパーツ本体に３個の挿通孔が形成されており、挿通孔に挿通して壁に打ち込まれるビスの先端が壁に対して下降状に傾斜して打ち込まれるように構成されており、強固に固定されると共に、額縁等の展示物を吊り下げる紐が吊り下げパーツ本体と壁面との間に食い込むことのない展示物吊り下げパーツに関する。
【背景技術】
【０００２】  一般的に額縁やパネル等の展示物吊り下げの発明や考案は数多く提案されており、特に紐を用いる場合は、紐を引っ掛けるフック状のものが代表的であるが、例えば、登録実用新案公報第３０５０８２７号公報や登録実用新案公報第３０４４０５８号公報等を挙げることができる。【０００３】  前記せる登録実用新案公報第３０５０８２７号公報は、掛止フックの懐部に、展示物に取付けた線状体を掛止して、掛止した線状体を押圧して掛止フックに押し当てる押圧部材を取り付けた展示物吊下具であるが、線状体の調整に手間がかかるものであった。【０００４】  また、前記せる登録実用新案公報第３０４４０５８号公報は、固定部と蓋部をヒンジを介して形成し、蓋部を被せて線状体を押えて横方向へのずれを阻止する構造であるが、本件も同様に線状体の調整に手間がかかるものであった。
【先行技術文献】
【実用新案文献】
【０００５】  登録実用新案公報第３０５０８２７号公報
登録実用新案公報第３０４４０５８号公報
【考案の概要】
【考案が解決しようとする課題】
【０００６】  本考案の課題は、額縁やパネル等の展示物を展示するにあたって、額縁やパネル等に固定した紐を引っ掛けて容易に展示できるようにした展示物吊り下げパーツにおいて、吊り下げパーツが壁面に強固に取付けられ、額縁やパネル等に固定した紐を取り付けても、その荷重に対する安全な構造であって、紐の調整も容易であり、しかも展示物吊り下げパーツが不要になった場合には容易に取り外すことができる構造である展示物吊り下げパーツを提供することである。
【課題を解決するための手段】
【０００７】  このような課題を解決するために鋭意研究の結果、創案された本考案の展示物吊り下げパーツは、以下の構成によって課題を解決した。【０００８】  ３個の挿通孔と把手部を有するプラスチック製の吊り下げパーツ本体からなり、該３個の挿通孔が吊り下げパーツ平面当接部に対して傾斜して形成されており、該挿通孔に挿通して壁に打ち込まれるビスの先端が壁に対して下降状に傾斜して打ち込まれるように構成したことを特徴とし、展示物用の紐が、壁と吊り下げパーツ平面当接部の間への食い込むことを防止するために、吊り下げパーツ平面当接部の頂部に一体的に突起が形成されていることを特徴とし、該挿通孔に挿通して壁に打ち込まれるビスの先端が壁に対して下降状に傾斜して打ち込まれる時に作業性の向上のために、吊り下げパーツ本体に把手部が一体的に形成されていることを特徴とし、展示物吊り下げ用の紐が当接される吊り下げパーツ本体の上面が曲面に形成されていることを特徴とし、且つ、展示物吊り下げパーツが不要になった時に、ドライバー等の先端を当接して容易に取り外すことができるように吊り下げパーツ本体中央に溝が形成されていることを特徴とする展示物吊り下げパーツを提供する。
【考案の効果】
【０００９】  以上説明したような本考案の展示物吊り下げパーツは、吊り下げパーツが壁面に強固に取付けられ、額縁やパネル等に固定した紐を取り付けても、その荷重に対する安全な構造であって、紐の調整も容易であり、しかも展示物吊り下げパーツが不要になった場合には容易に取り外すことができる構造であるので、使い易くて実用的効果の高い考案である。
【図面の簡単な説明】
【００１０】
【図１】  展示物吊り下げパーツの全体斜視図である。
【図２】  展示物吊り下げパーツを壁面に取付けた使用状態を示す側面図である。
【考案を実施するための最良の形態】
【００１１】  以下、図面に示す実施例に基づいて、本考案を実施するための最良の形態を具体的に説明する。【００１２】  図１乃至図２に示すように、３個の挿通孔５と把手部２を有するプラスチック製の吊り下げパーツ本体１からなり、該３個の挿通孔５は吊り下げパーツ平面当接部１１に対して傾斜して形成されている。【００１３】  挿通孔５に挿通して壁６に打ち込まれるビス７の先端は、図２に示すように、壁６に対して下降状に傾斜して打ち込まれるように構成されている。【００１４】  上記のように３個のビス７が打ち込まれているので、展示物吊り下げパーツ全体に下方向の荷重がかかっても、ビス７が抜けるようなことはなく、吊り下げパーツ本体１は強固に壁６に固定されている。【００１５】  ３個の挿通孔５にビス７を挿通して壁６にビス７を打ち込む場合、把手部２を持って、最初に中央上部の挿通孔５にビス７を挿通して仮止め状に打ち込みむと、吊り下げパーツ本体１の自重によって両サイドの挿通孔５は均整のとれた位置となり、この位置で両サイドの挿通孔５にビス７を挿通して壁６に打ち込んで、更に最初のビス７と共に打ち込めば３個の挿通孔５に挿通されて壁６に打ち込まれた３個のビス７によって吊り下げパーツ本体１は安定した位置で確実に壁面に固定される。【００１６】  前記せる吊り下げパーツ本体１に形成されている３個の挿通孔５は吊り下げパーツ平面当接部１１に対して傾斜して形成されている。【００１７】  展示物８に固定された紐９が、吊り下げパーツ本体１に引っ掛けられて保持される時、紐９が壁６と吊り下げパーツ平面当接部１１の間へ食い込むことを防止するために、吊り下げパーツ平面当接部１１の頂部に一体的に突起３が形成されている。【００１８】  挿通孔５に挿通して壁６に打ち込まれるビス７の先端が壁６に対して下降状に傾斜して打ち込まれる時に、作業性を良くするために、吊り下げパーツ本体１に把手部２が一体的に形成されており、この把手部２を持ってビス７の打ち込み作業をすることができる。【００１９】  展示物８に固定された紐９が、吊り下げパーツ本体１に引っ掛けられて保持される際、紐９が当接される吊り下げパーツ本体１の上面が曲面に形成されているので、紐９を横ずれさせながら展示物の位置を適切に調製することができ、調整後はその位置で展示物の定置位置とすることができる。【００２０】  展示物吊り下げパーツが不要になった時に、ドライバー等の工具１０の先端を当接して容易に取り外すことができるように、吊り下げパーツ本体１に溝４が形成されている。
【産業上の利用可能性】
【００２１】  本考案の展示物吊り下げパーツは以上説明したような構成であるので、非常に使い易く丈夫であるので、絵や写真等の展示物を居間や書斎等の壁に容易に取付けることができ、また、事務所や教室その他の壁に取付けることができるので、広く利用可能性のある考案である。
【符号の説明】
【００２２】  １    吊り下げパーツ本体
２    把手部
３    突起
４    溝
５    挿通孔
６    壁
７    ビス
８    展示物
９    紐
１０    工具
１１    吊り下げパーツ平面当接部
【図１】
0003177045.tif 000003
【図２】
0003177045.tif 000004